(57)【要約】【課題】ファスニングテープの係合フックが乳幼児の肌に与える影響をより緩和することができる吸収性物品を提供する。【解決手段】吸収性物品１０は、長手方向Ｌと、長手方向Ｌと直交する幅方向と、前胴周り域２０と、股下域２５と、後胴周り域３０と、ファスニングテープ９０と、を有する。ファスニングテープ９０は、基材９１と、基材に接着された係合シート９２と、を有する。ファスニングテープ９０は、固定端部と自由端部とが互いに反対方向を向くように展開可能に折り畳まれる。ファスニングテープ９０は、幅方向Ｗにおける後胴周り域３０の端部に一対設けられている。後胴周り域３０は、一対のファスニングテープの間に、少なくとも幅方向に伸縮可能な腰周り伸縮部８５を有する。折り畳まれたファスニングテープを展開するために必要な力は、後胴周り域の皺が無くなるまで後胴周り域を伸長させたときの後胴周り域の収縮力よりも小さい。【選択図】図７
2018064983.tif 000002
【特許請求の範囲】
【請求項１】
長手方向と、
前記長手方向と直交する幅方向と、
前胴周り域と、
股下域と、
後胴周り域と、
固定端部から自由端部へ沿って延びる基材と、前記基材に接着された係合シートと、を有するファスニングテープと、を有し、
前記ファスニングテープは、前記固定端部と前記自由端部とが互いに反対方向を向くように、展開可能に折り畳むための第１折り目及び第２折り目を有し、
前記ファスニングテープが展開された状態で、前記第１折り目は前記第２折り目よりも前記自由端部側に設けられており、
前記ファスニングテープは、前記幅方向における前記後胴周り域の端部に一対設けられており、
前記後胴周り域は、一対の前記ファスニングテープの間に、少なくとも前記幅方向に伸縮可能な腰周り伸縮部を有し、
折り畳まれた前記ファスニングテープを展開するために必要な力は、前記後胴周り域の皺が無くなるまで前記後胴周り域を伸長させたときの前記後胴周り域の収縮力よりも小さい、
吸収性物品。
【請求項２】
前記係合シートは、前記第１折り目と前記第２折り目との間で、前記係合シートから突出した複数の係合フックを有する第１領域と、前記第１折り目よりも前記自由端部側で、前記係合シートから突出した複数の係合フックを有する第２領域と、を有し、
前記ファスニングテープが折り畳まれた状態において、前記係合シートの前記第１領域が前記係合シートの前記第２領域と向かい合っている、請求項１に記載の吸収性物品。
【請求項３】
前記第１領域における前記係合フック間の距離は、前記第２領域の前記係合フックの最大径よりも大きく、
前記第２領域における前記係合フック間の距離は、前記第１領域の前記係合フックの最大径よりも大きい、請求項２に記載の吸収性物品。
【請求項４】
前記係合フックの先端部の径は該係合フックの根元部の径よりも大きい、請求項２又は３に記載の吸収性物品。
【請求項５】
前記第１領域と前記第２領域の少なくとも一方の前記係合フックの先端部は、前記ファスニングテープが展開された状態で、前記自由端部の方に向けて偏っている、請求項４に記載の吸収性物品。
【請求項６】
折り畳まれた状態の前記ファスニングテープの、少なくとも前記係合シートが存在する領域を収容する収容部を有する、請求項１から５のいずれか１項に記載の吸収性物品。
【請求項７】
少なくとも前記股下域に設けられた吸収コアを有し、
前記ファスニングテープは、前記後胴周り域に接合された接合部を有し、
前記伸縮部は、前記幅方向における前記吸収コアの側縁を前記長手方向に延長した仮想線と前記接合部との間に存在する、請求項１から６のいずれか１項に記載の吸収性物品。
【請求項８】
前記後胴周り域は、前記接合部と前記係合シートとの間の領域において、非伸縮性を有する、請求項７に記載の吸収性物品。
【発明の詳細な説明】
【技術分野】
【０００１】
本発明は、係合フックを有するファスニングテープを備えた吸収性物品に関する。
【背景技術】
【０００２】
特許文献１は、装着時に前胴周り域と後胴周り域とを止着するファスニングテープを備えたテープタイプの使い捨ておむつを開示している。特許文献１に記載の使い捨ておむつでは、ファスニングテープは、使い捨ておむつの後身頃のサイドフラップに固着されており、前身頃のターゲットシートに止着される。サイドフラップは、トップシートとバックシートとが互いに重ね合わされて構成される。ファスニングテープの使用前には、ファスニングテープは、サイドフラップにおけるトップシートとバックシートとの間に収容されている。ファスニングテープ先端はサイドフラップから突出している。ファスニングテープ先端を引っ張ることにより、ファスニングテープが展開され、サイドフラップから引き出される。
【０００３】
特許文献１の図３及び図４には、三つ折りに折り畳まれて略Ｚ字状の外観を呈するファスニングテープが記載されている。その三つ折りの折り重なり部を開くことにより、ファスニングテープが伸長可能になっている。ファスニングテープの雄材は、折り返されて重なった４つの面のうちのいずれか１つの面に形成されている。
【先行技術文献】
【特許文献】
【０００４】
【特許文献１】特開２００３−２７５２４６号
【発明の概要】
【発明が解決しようとする課題】
【０００５】
例えば乳幼児に使い捨ておむつのような吸収性物品を着用させる場合、乳幼児の肌への負担を皆無にしたい、或いはできるだけ負担を減らしたいとの意識が高まっている。ファスニングテープの雄材（フック）の先端は、乳幼児の肌に刺激を与えることがあるため、ユーザにとって異物として捉えられることがある。
【０００６】
そのため、少なくともファスニングテープを使用していないときには、係合フックの先端が人の肌、特に乳幼児の肌に与える影響を緩和することが望まれる。
【課題を解決するための手段】
【０００７】
一態様に係る吸収性物品は、長手方向と、前記長手方向と直交する幅方向と、前胴周り域と、股下域と、後胴周り域と、固定端部から自由端部へ沿って延びる基材と、前記基材に接着された係合シートと、を有するファスニングテープと、を有し、前記ファスニングテープは、前記固定端部と前記自由端部とが互いに反対方向を向くように、展開可能に折り畳むための第１折り目及び第２折り目を有し、前記ファスニングテープが展開された状態で、前記第１折り目は前記第２折り目よりも前記自由端部側に設けられており、前記ファスニングテープは、前記幅方向における前記後胴周り域の端部に一対設けられており、前記後胴周り域は、一対の前記ファスニングテープの間に、少なくとも前記幅方向に伸縮可能な腰周り伸縮部を有し、折り畳まれた前記ファスニングテープを展開するために必要な力は、前記後胴周り域の皺が無くなるまで前記後胴周り域を伸長させたときの前記後胴周り域の収縮力よりも小さい。
【発明の効果】
【０００８】
本発明によれば、ファスニングテープの係合フックが乳幼児の肌に与える影響をより緩和することができる吸収性物品を提供することができる。また、本発明によれば、係合シートが互いに向かい合うように折り畳まれるファスニングテープを展開し易くすることができる。
【図面の簡単な説明】
【０００９】
【図１】図１は、一実施形態に係る使い捨ておむつの平面図である。
【図２】図２は、図１に示したＦ１−Ｆ１線に沿った使い捨ておむつの断面図である。
【図３】図３は、折り畳まれた状態のファスニングテープの拡大図である。
【図４】図４は、展開された状態のファスニングテープの拡大図である。
【図５】図５は、図３に示したＦ２−Ｆ２線に沿った断面図である。
【図６】図６は、図４に示したＦ３−Ｆ３線に沿った断面図である。
【図７】図７は、第１実施例に係る折り畳まれたファスニングテープの拡大断面である。
【図８】図８は、第２実施例に係る折り畳まれたファスニングテープの拡大断面である。
【図９】図９は、第３実施例に係る折り畳まれたファスニングテープの拡大断面である。
【図１０】図１０は、第４実施例に係る折り畳まれたファスニングテープの拡大断面である。
【図１１】図１１は、第５実施例に係る折り畳まれたファスニングテープの拡大断面である。
【図１２】図１２は、第１実施例に係るファスニングテープを展開する様子を示す模式図である。
【図１３】図１３は、第３実施例に係るファスニングテープを展開する様子を示す模式図である。
【図１４】図１４は、第４実施例に係るファスニングテープを展開する様子を示す模式図である。
【発明を実施するための形態】
【００１０】
次に、吸収性物品の実施形態について、図面を参照しながら説明する。以下の実施形態では、吸収性物品として使い捨ておむつを例に挙げて説明する。しかしながら、本発明の吸収性物品は、使い捨ておむつに限定されない。
【００１１】
なお、以下の図面の記載において、同一または類似の部分には、同一または類似の符号を付している。ただし、図面は模式的なものであり、各寸法の比率などは現実のものとは異なり得ることに留意すべきである。したがって、具体的な寸法などは以下の説明を参酌して判断すべきである。また、図面相互間においても互いの寸法の関係や比率が異なる部分が含まれ得る。
【００１２】
（１）使い捨ておむつの概略全体構成
図１は、一実施形態に係る使い捨ておむつ１０の展開平面図である。図２は、図１に示したＦ１−Ｆ１線に沿った使い捨ておむつ１０の断面図である。図１に示す展開図は、使い捨ておむつを構成するトップシート５０、サイドフラップ７０等の皺がなくなる状態まで、レッグ伸縮部７５及びレッグサイド伸縮部８０の弾性部材を伸長させた状態の図である。
【００１３】
使い捨ておむつ１０は、前胴周り域２０と、股下域２５と、後胴周り域３０と、を有する。前胴周り域２０は、着用者の前胴周り部（腹部分）と接する部分である。また、後胴周り域３０は、着用者の後胴周り部（背部分）と接する部分である。股下域２５は、前胴周り域２０と後胴周り域３０との間に位置する。
【００１４】
使い捨ておむつ１０は、一対のレッグ開口部３５を有する。レッグ開口部３５は、使い捨ておむつの幅方向Ｗにおける外側縁に設けられている。レッグ開口部３５は、使い捨ておむつ１０が着用者に着用された状態で、着用者の脚周りに沿って配置される部分である。
【００１５】
なお、本実施形態では、前胴周り域２０から後胴周り域３０に向かう方向を長手方向Ｌと呼ぶ。また、長手方向Ｌと直交する方向を幅方向Ｗと呼ぶ。
【００１６】
使い捨ておむつ１０、吸収体４０を有する。吸収体４０は、吸収コア４０ａとコアラップ４０ｂとを有していてよい。吸収コア４０ａは、少なくとも股下域２５に設けられている。吸収コア４０ａは、股下域２５から前胴周り域２０及び後胴周り域３０のうち少なくともいずれか一方に向かって延びていてよい。
【００１７】
吸収コア４０ａは、粉砕パルプや高吸収ポリマーなどの材料を用いて適宜構成することができる。吸収コア４０ａは、シート状のコアラップ４０ｂによって包まれていてよい。
【００１８】
使い捨ておむつ１０は、トップシート５０、バックシート６０ａ及び外装シート６０を有していてよい。トップシート５０は、吸収体４０の表面側（肌対向面側）に設けられる。トップシート５０は、液透過性を有していてよい。バックシート６０ａは、吸収体４０の裏面側（非肌対向面側）に設けられる。バックシート６０ａは、液不透過性を有していてよい。外装シート６０は、バックシート６０ａの裏面側に設けられる。
【００１９】
使い捨ておむつ１０は、幅方向Ｗにおける吸収体４０の両外側縁に、サイドフラップ７０を有していてよい。サイドフラップ７０は、長手方向Ｌにおいて前胴周り域２０から後胴周り域３０まで延びている。サイドフラップ７０は、幅方向Ｗにおいて吸収体４０よりも外側に配置される。サイドフラップ７０は、１枚又は複数枚重ねられた不織布によって構成されている。サイドフラップ７０は、吸収コア４０ａよりも肌対向面側に位置し、吸収コア４０ａよりも幅方向Ｗの外側に延びていてよい。サイドフラップ７０の内側縁（幅方向Ｗの内側端）は、吸収コア４０ａの一部を覆っていてよい。サイドフラップ７０の外側縁は、吸収コア４０ａよりも幅方向Ｗの外側に配置されていてよい。
【００２０】
サイドフラップ７０には、レッグ開口部３５よりも幅方向Ｗの内側に配置され、長手方向Ｌに伸縮可能な一対のレッグ伸縮部７５が備えられていてよい。レッグ伸縮部７５は、レッグ開口部３５を長手方向に伸縮できるように構成されていればよい。一対のレッグ伸縮部７５の幅方向Ｗの内側には、長手方向Ｌに沿って延びる一対のレッグサイド伸縮部８０が設けられていてよい。レッグサイド伸縮部８０は、幅方向Ｗにおけるサイドフラップ７０の内側端部に設けられている。レッグサイド伸縮部８０は、起立性の伸縮ギャザーを構成していてよい。
【００２１】
使い捨ておむつ１０は、一対のファスニングテープ９０を備えている。ファスニングテープ９０は、前胴周り域２０及び後胴周り域３０のいずれか一方に接合された接合部９４ａを有する。本実施形態では、ファスニングテープ９０は、後胴周り域３０に接合されている。ファスニングテープ９０は、前胴周り域２０と後胴周り域３０とを止着する。前胴周り域２０と後胴周り域３０とが互いに止着されることにより、ファスニングテープ９０は、使い捨ておむつ１０を着用者の身体に保持する。ターゲット部９００は、前胴周り域２０又は後胴周り域３０の外装シート６０の非肌対向側の面に設けられている。ターゲット部９００は、ファスニングテープ９０が引っ掛かるように構成されている。ターゲット部９００としては、例えば、エアースルー不織布を用いることができる。
【００２２】
ターゲット部９００は、幅方向Ｗに互いに離間して２つ設けられていてもよい。これにより、使用者は、一方のファスニングテープ９０をそれぞれどのターゲット部９００に係合すればよいかを視覚的に視認し易くなる。
【００２３】
なお、使い捨ておむつ１０は、ターゲット部９００を有していなくてもよい。この場合、ファスニングテープ９０が前胴周り域２０又は後胴周り域３０の外装シート６０に直接止着できるように構成されていればよい。
【００２４】
幅方向Ｗにおける一対のファスニングテープ９０間には、幅方向Ｗに伸縮可能な腰周り伸縮部８５が設けられていてよい。腰周り伸縮部８５は、ファスニングテープ９０間の領域を幅方向Ｗに収縮する。腰周り伸縮部８５は、伸縮性シートによって構成されていてよい。
【００２５】
腰周り伸縮部８５の後端縁は、使い捨ておむつ１０の後端縁よりも前側に位置していてもよい。その代わりに、腰周り伸縮部８５の後端縁は、使い捨ておむつ１０の後端縁に一致していてもよい。腰周り伸縮部８５の前端縁は、吸収コア４０ａの後端縁よりも前側、かつコアラップ４０ｂの後端縁よりも前側、かつレッグ伸縮部７５の後端縁よりも後側に位置していてよい。よって、腰周り伸縮部８５の少なくとも一部は、使い捨ておむつの平面視において吸収コア４０ａに重なっていてよい。これにより、使用者が、一対のファスニングテープ９０を幅方向Ｗ外側へ引っ張ったときに、吸収体４０の後端部が幅方向外側へ引っ張られる。この状態で、ファスニングテープ９０をターゲット部９００に止着することにより、吸収体４０が着用者の身体の丸みに合わせて身体にフィットした形状になり易くなる。
【００２６】
腰周り伸縮部８５は、吸収コア４０ａの後端縁及びコアラップ４０ｂの後端縁を跨ぎ、吸収コア４０ａの後端縁及びコアラップ４０ｂの後端縁よりも後側に延出していてもよい。腰周り伸縮部８５の外側縁は、ファスニングテープ９０の内側縁（幅方向Ｗの内側端）よりも幅方向の内側に位置していてよい。腰周り伸縮部８５とファスニングテープ９０とは、幅方向Ｗにおいて離間している。この代わりに、腰周り伸縮部８５とファスニングテープ９０とは、幅方向Ｗにおいて互いに離間せずに重なり合っていてもよい。
【００２７】
腰周り伸縮部８５は、幅方向Ｗにおける吸収コア４０ａの側縁を長手方向Ｌに延長した仮想線４０ｅと接合部９４ａとの間に存在する。もっとも、腰周り伸縮部８５は、仮想線４０ｅよりも幅方向内側に存在していてもよい。前胴周り域２０及び後胴周り域３０のうち、ファスニングテープ９０が接合されている方の胴周り域は、接合部９４ａと係合シート９２との間の領域において、非伸縮性を有することが好ましい。
【００２８】
（２）ファスニングテープの構成
以下、ファスニングテープ９０の構成について説明する。ファスニングテープ９０は、幅方向Ｗにおける後胴周り域３０の端部に設けられていてよい。具体的には、ファスニングテープ９０は、後胴周り域３０に対応するサイドフラップ７０の領域に取り付けられていてよい。この実施形態の代わりに、ファスニングテープ９０は、前胴周り域２０に設けられていてもよい。この場合、ファスニングテープ９０は、後前胴周り域３０に設けられるターゲット部又は外装シートに止着するように構成されていてよい。
【００２９】
ファスニングテープ９０は、使用前において、展開可能に折り畳まれている。図３は、折り畳まれたファスニングテープ９０を示している。図４は、展開されたファスニングテープ９０を示している。図５は、図３のＦ２−Ｆ２線に沿った折り畳まれたファスニングテープ９０の断面図である。図６は、図４のＦ３−Ｆ３線に沿った展開されたファスニングテープ９０の断面図である。図３及び図５に示すように、ファスニングテープ９０は、少なくとも１つの第１折り目９５を基点に展開可能に折り畳まれている。ファスニングテープ９０は、第１折り目９５及び第２折り目９６を起点に展開可能に折り畳まれていてもよい。
【００３０】
ファスニングテープ９０は、基材９１及び係合シート９２を有する。係合シート９２は、接着剤を介して基材９１に接着されている。係合シート９２は、前胴周り域２０及び後胴周り域３０の少なくとも一方と係合可能となっている。具体的には、係合シート９２の一面（係合面）には、前胴周り域２０又は後胴周り域３０に係合可能な複数の係合部材としての係合フック９９が設けられている（図７も参照）。
【００３１】
基材９１は、自由端部９３から固定端部９４へ延びる。基材９１の固定端部９４は、サイドフラップ７０に固定されている。基材９１の自由端部９３、すなわちファスニングテープ９０の自由端部は、ファスニングテープ９０を展開する際にユーザによって掴まれる部分である。基材９１の自由端部９３は、１枚又は複数枚の不織布から構成されていてよい。好ましくは、基材９１全体が１枚又は複数枚の不織布から構成されている。好ましくは、基材９１が複数枚の不織布から構成されており、複数枚の不織布は長手方向Ｌに連続する接合部にて接合されていることが好ましい。ファスニングテープ９０は、吸収性物品の幅方向外側に向かって引き出されて使用されるため、複数枚の不織布を長手方向Ｌに連続する接合部にて互いに接合されることによって、第１折り目９５及び第２折り目９６を安定的に設け、かつファスニングテープ９０を引っ張る際の強度を維持しつつ、柔軟なファスニングテープ９０を提供することができる。なお、例えば、ある目付量の不織布１枚から構成するよりも、その目付量の半分の目付量の不織布２枚を重ねて構成する方が、より高い柔軟性を得ることができることに留意されたい。
【００３２】
ファスニングテープ９０は、前胴周り域２０から後胴周り域３０に向かう長手方向Ｌに沿った第１折り目９５を基点に折られている。ファスニングテープ９０は、第１折り目９５に平行な第２折り目９６を基点にさらに折られている（図２及び図５参照）。第２折り目９６は、ファスニングテープ９０が展開された状態において、第１折り目９５よりも幅方向Ｗの内側に位置する（図５及び図６参照）。ファスニングテープ９０が折り畳まれた状態において、基材９１の自由端部９３は幅方向Ｗの外側に向かって延びている。第２折り目９６は、第１領域９２ａと固定端部９４との間に設けられている。ファスニングテープ９０は、固定端部９４と自由端部９３が互いに反対方向を向くように、第１折り目９５及び第２折り目９６を基点に展開可能に折り畳まれている。
【００３３】
後胴周り域２０は、折り畳まれた状態のファスニングテープ９０の、少なくとも係合シート９２が存在する領域を収容する収容部７２を有する。収容部７２は、サイドフラップ７０を形成するサイドシートと外装シートとの間の空間により形成されていてよい。好ましくは、ファスニングテープ９０は、折り畳まれた状態で、自由端部９３を除いて収容部７２に収容されている。この場合、ファスニングテープ９０の自由端部９３のみが、収容部７２から外部に突出することになる。これにより、ファスニングテープ９０を隠蔽し、吸収性物品を構成する要素のうち不織布のみを吸収性物品の表面に露出さした状態にすることができる。したがって、使用者に異物感を与えない吸収性物品を提供することができる。
【００３４】
基材９１の固定端部９４は、後胴周り域３０を構成するシートに接合されていてよい。ファスニングテープ９０は、収容部７２を形成する一対のシート５０，６０のうちの肌面側のシート（本実施形態ではサイドフラップ７０）に固定されていてよい。この場合、ファスニングテープ９０は、肌面側のシートとは反対側に折り畳まれる。ファスニングテープ９０が展開された状態において、係合シート９２の係合面は肌面側に向く。
【００３５】
係合シート９２は、ファスニングテープ９０が折り曲げられる折り目９５，９６上には設けられていなくてもよい（図４及び図６参照）。これにより、ファスニングテープ９０を折り曲げた状態を安定的に維持することができる。特に、折り目９５，９６が、係合シート９２の係合フック９９が存在しない領域、すなわち比較的剛性が低い領域に位置するため、ファスニングテープ９０は折り畳まれた形状で安定化し易い。これにより、吸収性物品の使用前にファスニングテープの形状が損なわれ難くなる。さらに、折り目９５，９６が係合シート９２上を通っていないので、ファスニングテープ９０の製造時にファスニングテープ９０を容易に折り畳むことができる。
【００３６】
上記実施形態の代わりに、係合シート９２は、ファスニングテープ９０が折り曲げられる折り目９５，９６上に設けられていてもよい。具体的一例として、係合シート９２は、第１折り目９５を跨って第１折り目９５の両側へ延びていてよい。この場合には、基材９１と係合シートの間の複数の接合部が、吸収性物品の長手方向Ｌに延び、かつ幅方向Ｗには互いに離間しており、かつ接合部どうしの間の非接合部が第１折り目９５と重なる位置にあることが好ましい。これにより、第１折り目９５をより安定的に形成することができる。
【００３７】
図７は、第１の実施例に係る折り畳まれたファスニングテープの拡大断面である。係合シート９２は、第１折り目９５と第２折り目９６との間に配置され、係合シート９２から突出した複数の係合フック９９を有する第１領域９２ａと、第１折り目９５よりも自由端部９３側に配置され、係合シートから突出した複数の係合フック９９を有する第２領域９２ｂと、を有する。
【００３８】
ファスニングテープ９０が折り畳まれた状態において、係合シートの第１領域９２ａが係合シートの第２領域９２ｂと向かい合っている。第１領域９２ａの係合シートから突出する係合フック９９のすべてが、第２領域９２ｂの係合シートに向かい合っていることが好ましい。さらに、第２領域９２ｂの係合シートから突出する係合フック９９のすべてが、第１領域９２ａの係合シートに向かい合っていることが好ましい。特にファスニングテープ９０が折り畳まれた状態において、第１折り目９５と第２折り目９６との間のみに係合フック９９が存在し、かつ第２折り目９６よりも幅方向Ｗの外側に係合フック９９が存在しないことが好ましい。これにより、ファスニングテープ９０が折り畳まれた状態において、すべての係合フック９９が露出することがないため、係合フック９９が人、特に乳幼児の皮膚に与える影響を抑制することができる。
【００３９】
係合シート９２を基材９１に接着する接着剤は、第１接着領域１００及び第２接着領域１０２を構成する。第１接着領域１００は、係合シート９２の第１領域９２ａを基材９１に接着する領域である。第２接着領域１０２は、係合シート９２の第２領域９２ｂを基材９１に接着する領域である。
【００４０】
ファスニングテープ９０が折り畳まれた状態において、第１接着領域１００の、第１折り目９５から遠い方の第１側縁１００ｅは、第２領域９２ｂにおける係合フック９９に隣接する第１領域９２ａの係合フック９９のうちの最も第１折り目９５から遠い係合フック９９ａｅ（以下、「第１基準フック９９ａｅ」と称することがある。）の位置に達している。また、ファスニングテープ９０が折り畳まれた状態において、第２接着領域１０２の、第１折り目９５から遠い方の第２側縁１０２ｅは、第１基準フック９９ａｅの第１折り目９５側に隣接する、第２領域９２ｂにおける係合フック９９ｂｅ（以下、「第２基準フック９９ｂｅ」と称することがある。）の位置に達している。
【００４１】
第１接着領域１００の第１折り目９５に近い方の側縁の位置は、任意ではあるが、第１領域９２ａの最も第１折り目９５に近い係合フックにまで達していてよい。また、第２接着領域１０２の第１折り目９５に近い方の側縁の位置は、任意ではあるが、第２領域９２ｂの最も第１折り目９５に近い係合フックにまで達していてよい。
【００４２】
図８は、第２の実施例に係る折り畳まれたファスニングテープの拡大断面である。本実施例では、第１領域９２ａにおける係合フック９９間の距離Ｉは、第２領域９２ｂの係合フック９９の最大径Ｒよりも大きい。さらに、第２領域９２ｂにおける係合フック９９間の距離Ｉは、第１領域９２ａの係合フック９９の最大径よりも大きい。
【００４３】
図９は、第３の実施例に係る折り畳まれたファスニングテープの拡大断面である。本実施例では、係合フック９９の先端部９９ｂの径は該係合フックの根元部９９ａの径よりも大きい。第１領域９２ａと第２領域９２ｂの少なくとも一方の係合フック９９の先端部９９ｂは、ファスニングテープ９０が展開された状態で、自由端部９３の方に向けて偏っている。第１領域９２ａと第２領域９２ｂの両方の係合フック９９の先端部９９ｂが、ファスニングテープ９０が展開された状態で、自由端部９３の方に向けて偏っていてもよい。具体的には、係合フックの先端部９９ｂは、ファスニングテープ９０が展開された状態で、固定端部９４側よりも自由端部９３側の方へより突出している。係合フックの先端部９９ｂは、固定端部９４の方へ若干突出していてもよく、全く突出していなくてもよい。
【００４４】
ファスニングテープ９０が折り畳まれた状態で、第１領域９２ａの係合フック９９の先端部９９ｂと第２領域９２ｂの係合フック９９の先端部９９ｂどうしが係合する。これにより、ファスニングテープ９０が折り畳まれた状態で、ファスニングテープ９０が意図せず自然に開くことを防止することができる。
【００４５】
図１０は、第４の実施例に係る折り畳まれたファスニングテープの拡大断面である。本実施例では、ファスニングテープ９０が折り畳まれた状態において、第１領域９２ａの係合シートの、第１折り目９５から遠い方の縁９２ａｅは、第２領域９２ｂの係合シートの、第１折り目９５から遠い方の縁９２ｂｅよりも第１折り目９５から遠くに位置する。この場合であっても、ファスニングテープ９０が折り畳まれた状態において、第１接着領域１００の、第１折り目９５から遠い方の第１側縁１００ｅは、第１基準フック９９ａｅよりも第１折り目９５から遠くに位置する。好ましくは、ファスニングテープ９０が折り畳まれた状態において、第１接着領域１００の第１側縁１００ｅは、第２領域９２ｂの第１折り目９５から遠い方の端部９２ｂｅよりも第１折り目９５から遠くに位置する。
【００４６】
好ましくは、第１接着領域１００は、第１領域９２ａの係合シートの、第１折り目９５から遠い方の縁９２ａｅまで達していない。これにより、第１接着領域１００の接着剤が係合シートからはみ出ることを抑制することができる。したがって、第１接着領域１００の接着剤からはみ出した接着剤によってファスニングテープ９０が折り畳まれた状態で接着されてしまうことを抑制することができ、容易に展開することができるファスニングテープ９０を提供することができる。
【００４７】
第１領域９２の係合シートの、第１折り目９５から遠い方の縁９２ａｅと、第１基準フック９９ａｅとの間の距離は、好ましくは０．５ｍｍ以上、より好ましくは０．８ｍｍ以上である。これにより、ファスニングテープが圧着された後にも、第１接着領域１００の接着剤が係合シートからはみ出ることを抑制することができる。接着剤がはみ出ないようにすることで、吸収性物品を取り扱うユーザの皮膚へのトラブルを抑制することができる。
【００４８】
第１領域９２の係合シートの、第１折り目９５から遠い方の縁９２ａｅと、第１基準フック９９ａｅとの間の領域は、好ましくは３ｍｍ以下、より好ましくは１ｍｍ以下である。このように係合シートの、第１折り目９５から遠い方の縁９２ａｅ付近の非接着領域の長さを短くすることで、係合シート９２が基材９１から大きく浮いてしまうことを防止できる。これにより、ファスニングテープ９０を取り扱うユーザの皮膚に係合シート９２の縁９２ａｅが不意に接触することを抑制できる。
【００４９】
図１１は、第５の実施例に係る折り畳まれたファスニングテープの拡大断面である。本実施例では、ファスニングテープ９０が折り畳まれた状態において、第１領域９２ａの係合シートの、第１折り目９５から遠い方の縁９２ａｅは、第２領域９２ｂの係合シートの、第１折り目９５から遠い方の縁９２ｂｅよりも第１折り目９５から遠くに位置する。さらに、ファスニングテープ９０が折り畳まれた状態において、第１接着領域１００の第１折り目９５から遠い方の第１側縁１００ｅは、第２接着領域１０２の第１折り目９５から遠い方の第２側縁１０２ｅよりも第１折り目９５から遠くに位置する。
【００５０】
第１領域９２ａの係合シートの、第１折り目９５から遠い方の縁９２ａｅと、第１領域９２ａの第１基準フック９９ａｅとの間の領域に、潰れた係合フックからなるフック跡９９ｆが設けられている。第１領域９２ａの、第１折り目９５から遠い方の縁９２ａｅから、好ましくは３ｍｍ以下、より好ましくは１ｍｍ以下の領域に、潰れた係合フックからなるフック跡９９ｆが存在していることが好ましい。潰れた係合フックからなるフック跡９９ｆが存在する領域では、係合シート９２は、基材９１に接着されていなくてもよい。これにより、製造中に、第１接着領域１００の接着剤がはみ出ることを抑制することができ、第１接着領域１００の接着剤からはみ出した接着剤によってファスニングテープ９０が折り畳まれた状態で接着されてしまうことを抑制することができる。したがって、容易に展開することができるファスニングテープ９０を提供することができる。この代わりに、第１接着領域１００は、潰れた係合フックからなるフック跡９９ｆが存在する領域にも設けられていてもよい。この場合、第１接着領域１００は、基準フック９９ａｅよりも、第１折り目９５から十分遠くに位置させることができる。
【００５１】
非接着領域における係合フックが潰されているため、係合シート９２が基材９１から浮いて、係合シート９２の固定端部側の縁９２ａｅがユーザに当たったとしても、ユーザの皮膚に与える影響を緩和することができる。
【００５２】
好ましくは、第１接着領域１００は、第１領域９２ａの係合シートの、第１折り目９５から遠い方の縁９２ａｅまで達していない。第１領域９２の係合シートの、第１折り目９５から遠い方の縁９２ａｅと第１基準フック９９ａｅとの間の領域は、好ましくは０．５ｍｍ以上、より好ましくは０．８ｍｍ以上の長さを有する。これにより、第１接着領域１００が係合シート９２からはみ出ることを防止できる。接着剤がはみ出ないようにすることで、吸収性物品を取り扱うユーザの皮膚へのトラブルを抑制することができる。第１領域９２ａの係合シートの、第１折り目９５から遠い方の縁９２ａｅと第１基準フック９９ａｅとの間の領域は、好ましくは３ｍｍ以下、より好ましくは１ｍｍ以下である。
【００５３】
（３）作用・効果
一実施形態に係る吸収性物品１０は、固定端部９４から自由端部９３へ沿って延びる基材９１と、接着剤１００，１０２を介して基材９１に接着された係合シート９２と、を有するファスニングテープ９０を有する。ファスニングテープ９０は、固定端部９４と自由端部９３とが互いに反対方向を向くように、展開可能に折り畳むための第１折り目９５及び第２折り目９６を有する。ファスニングテープが展開された状態で、第１折り目９５は第２折り目９６よりも自由端部９３側に設けられている。係合シート９２は、第１折り目９５と第２折り目９６との間で、係合シート９２から突出した複数の係合フック９９を有する第１領域９２ａと、第１折り目９５よりも自由端部９３側で、係合シートから突出した複数の係合フック９９を有する第２領域９２ｂと、を有する。接着剤は、係合シートの第１領域９２ａを基材９１に接着する第１接着領域１００と、係合シートの第２領域９２ｂを基材９１に接着する第２接着領域１０２と、を構成する。ファスニングテープ９０が折り畳まれた状態において、係合シートの第１領域９２ａが係合シートの第２領域９２ｂと向かい合っている。ファスニングテープ９０が折り畳まれた状態において、第１接着領域１００の、第１折り目９５から遠い方の第１側縁１００ｅは、第２領域９２ｂにおける係合フックに隣接する第１領域９２ａの係合フックのうちの最も第１折り目から遠い係合フックである第１基準フック９９ａｅの位置に達しており、ファスニングテープ９０が折り畳まれた状態において、第２接着領域１０２の、第１折り目９５から遠い方の第２側縁１０２ｅは、第１基準フック９９ａｅの第１折り目９５側に隣接する、第２領域９２ｂにおける係合フック９９ｂｅ（第２基準フック９９ｂｅ）の位置に達している。
【００５４】
ファスニングテープ９０が折り畳まれた状態で、係合シートの第１領域９２ａが係合シートの第２領域９２ｂと向かい合っているので、係合フック９９の少なくとも一部、好ましくは係合フック９９の全部が、係合シート９２に向けて突出する。これにより、係合フック９９の少なくとも一部が、比較的剛性の高い係合シートで覆われる。これにより、係合フック９９が人、特に乳幼児の肌に与える影響を緩和することができる。
【００５５】
また、ファスニングテープ９０が折り畳まれた状態で、係合シート９２が基材９１によって覆われる。これにより、視覚的にユーザに与える違和感及び不安感を軽減することができる。なお、ファスニングテープ９０が折り畳まれた状態で、係合シート９２は、サイドフラップ７０及び外装シート６０に覆い隠されていてもよい。この場合、視覚的にユーザに与える違和感及び不安感をより軽減することができる。
【００５６】
ここで、係合シートの第１領域９２ａが係合シートの第２領域９２ｂと向かい合っている場合、第１領域９２ａの係合フックと第２領域９２ｂの係合フックとが互いに係合することがある。この場合、ファスニングテープ９０の自由端部９３を引っ張ったときに、係合フック９９どうしの係合が外れにくくなることがある。よって、係合シート９２が互いに向かい合うように折り畳まれるファスニングテープ９０を展開し易くすることが望ましい。
【００５７】
本実施形態では、着用補助者（例えば親等）が、着用者（赤ちゃん等）へ吸収性物品を取り付ける作業をより簡便に実施できる。具体的には、着用補助者は、まず吸収性物品を着用者の体の下に敷き、それから着用者の腹側へ吸収性物品の前胴回り域を当てる。その後、着用補助者は、吸収性物品の後胴回り域から幅方向外側に向かって突出するファスニングテープ９０の自由端部９３を持つ。それから、着用補助者は、自由端部９３を吸収性物品の幅方向外側に向かって引っ張る。着用補助者がファスニングテープ９０を引っ張ると同時にファスニングテープ９０が展開されるので、着用補助者は、ファスニングテープ９０を掴んだまま、ファスニングテープ９０を前胴回り域へ止着することができる。
【００５８】
ここで、通常の市販の使い捨ておむつでは、ファスニングテープの掴み部（自由端部）が幅方向の中心側へ向かうように、ファスニングテープが折り畳まれている。そのため、吸収性物品を着用者の体の下に敷く前、又は着用者の腹側へ吸収性物品の前胴回り域を当てる前に、着用補助者は、ファスニングテープを展開しておく必要がある。ファスニングテープの展開後に、着用者の腹側へ使い捨ておむつの前胴回り域を当てる。この際に、ファスニングテープが展開されているので、ファスニングテープの係合フックが、意図せず、吸収性物品を構成する資材や着用者の服に係合してしまったり、着用者の肌に当たってしまったりすることがある。
【００５９】
本実施形態に係る吸収性物品では、上述したように、着用補助者は、ファスニングテープの展開からファスニングテープの止着までの一連の動作を、ファスニングテープを掴んだ状態のまま行うことができるので、上記の不都合を解消することができる。
【００６０】
本実施形態では、ファスニングテープ９０が折り畳まれた状態において、第１接着領域１００の第１側縁１００ｅは第１基準フック９９ａｅの位置に達しており、第２接着領域１０２の第２側縁１０２ｅは第２基準フック９９ｂｅの位置に達している。図１２に示すように、基材９１の自由端部９３を幅方向Ｗ外側へ引っ張ると、係合シートの第１領域９２ａが図中の矢印Ｆ２の方へ移動し、係合シートの第２領域９２ｂが図中の矢印Ｆ１の方へ移動する。基材９１の自由端部９３を幅方向Ｗ外側へより引っ張ると、第１領域９２ａの係合シート９２の、第１折り目９５から遠い方の端部領域が、接着剤１００を介して基材９１に引っ張られ、これにより図１２中の上方へ曲げられる。したがって、図１２に示すように、第１基準フック９９ａｅが、係合シート９２の湾曲に引きずられ、第２領域９２ｂの係合シートの第２基準フック９９ｂｅから離れる方向に傾斜する。これにより、第１基準フック９９ａｅと第２基準フック９９ｂｅとの係合がスムーズに解除される。基材９１の自由端部９３をさらに引っ張ると、第１基準フック９９ａｅ及び第２基準フック９９ｂｅよりも第１折り目９５に近い方の係合フック９９どうしの係合もスムーズに解除されていく。よって、上記のように接着剤１００，１０２の位置を設定することで、ファスニングテープ９０を展開し易くすることができる。
【００６１】
一実施形態によれば、ファスニングテープ９０が折り畳まれた状態において、第１領域９２ａの係合シートの、第１折り目９５から遠い方の縁９２ａｅは、第２領域９２ｂの係合シートの、第１折り目９５から遠い方の縁９２ｂｅよりも第１折り目９５から遠くに位置する。ファスニングテープ９０が折り畳まれた状態において、第１接着領域１００の第１側縁１００ｅは、第２領域９２ｂの係合シートの、第１折り目９５から遠い方の縁９２ａｅよりも第１折り目９５から遠くに位置する。これにより、図１４に示すように、ファスニングテープ９０の自由端部９３を引っ張ると、係合フック９９どうしが係合している領域よりも外側で、係合シートの第１領域９２ａが接着剤１００を介して基材９１に引っ張られ始める。したがって、ファスニングテープ９０の自由端部９３をさらに引っ張ると、係合フック９９どうしが係合している領域（第１基準フック９９ａｅ及び第２基準フック９９ｂｅの領域）において、係合シート９２をより湾曲させることができる。これにより、第１基準フック９９ａｅを、第２基準フック９９ａｂから遠ざかる方向により曲げることができるため、係合フック９９どうしの係合をよりスムーズに解除することができる。
【００６２】
一実施形態によれば、第１接着領域１００は、第１領域９２ａの係合シートの、第１折り目９５から遠い方の縁９２ａｅまで達していない。これにより、第１領域９２ａの係合シート９２を基材９１に接着する際に、第１領域９２ａの係合シート９２から接着剤１００がはみ出ることを防止することができる。
【００６３】
一実施形態によれば、第１領域９２ａの係合シートの、第１折り目９５から遠い方の縁９２ａｅと、第１領域９２ａの第１基準フック９９ａｅとの間の領域は、０．５ｍｍ以上３ｍｍ以下の長さを有する。ここで、第１接着領域１００の、第１折り目９５から遠い方の第１側縁１００ｅは第１基準フック９９ａｅの位置に達している。したがって、第１接着領域１００の第１側縁１００ｅは、０．５ｍｍ以上３ｍｍ以下の範囲内に位置すればよい。これにより、第１接着領域１００の接着剤の塗布中に、接着剤の塗布位置が若干ずれたとしても、接着剤がはみ出る等の不具合を防止することができる。また、第１接着領域１００が第１領域９２ａの係合シートの、第１折り目９５から遠い方の縁９２ａｅ近傍まで達している場合には、第１接着領域１００は、第１基準フック９９ａｅよりも第１折り目９５から十分遠い位置にまで達する。この場合、前述したように、ファスニングテープの展開中に、第１基準フック９９ａｅを、第２基準フック９９ａｂから遠ざかる方向により曲げることができるため、係合フック９９どうしの係合をよりスムーズに解除することができる。
【００６４】
一実施形態によれば、第１領域９２ａの係合シートの、第１折り目９５から遠い方の縁９２ａｅと、第１領域９２ａの基準フック９９ａｅとの間の領域に、潰れた係合フック９９ｆからなるフック跡が設けられている。第１折り目９５から遠い方に位置する潰れた係合フック９９ｆが、第２領域９２ｂの係合シートの、第１折り目９５よりも遠い領域における基材９１に接触したとしても、基材９１と係合することを防止することができる。これにより、ファスニングテープ９０をより展開し易くすることができる。また、潰す係合フック９９ｆを適宜設定可能なので、第１領域９２ａの係合シートの、第１折り目９５から遠い方の縁９２ａｅと、第１領域９２ａの第１基準フック９９ａｅとの間の領域を、所定の長さ、例えば０．５ｍｍ以上３ｍｍ以下の長さに容易に調節することができる。
【００６５】
一実施形態によれば、第１領域９２ａにおける係合フック間の距離Ｉは、第２領域９２ｂの係合フックの最大径Ｒよりも大きい。第２領域９２ｂにおける係合フック間の距離Ｉは、第１領域９２ａの係合フックの最大径Ｒよりも大きい。これにより、ファスニングテープ９０が折り畳まれた状態で、第１領域９２ａの係合シートと第２領域９２ｂの係合シートとのメカニカル係合を抑制することができる。したがって、ファスニングテープ９０をより展開し易くすることができる。
【００６６】
一実施形態によれば、係合フックの先端部９９ｂの径は該係合フックの根元部９９ａの径よりも大きい。これにより、ファスニングテープ９０が折り畳まれた状態で、係合フック９９の先端部どうしが係合し易くなる。これにより、ファスニングテープ９０が折り畳まれた状態で、ファスニングテープ９０が意図せず自然に開くことを防止することができる。
【００６７】
一実施形態によれば、第１領域９２ａと第２領域９２ｂの少なくとも一方の係合フックの先端部９９ｂは、ファスニングテープ９０が展開された状態で、自由端部９３の方に向けて偏っている。この場合であっても、図１３に示すようにファスニングテープ９０を引き出すために基材９１の自由端部９３を引っ張ったときに、第１領域９２ａの係合フックと、第２領域９２ｂの係合フックとの係合が外れやすい方向に基材が変形する。したがって、ファスニングテープ９０をより展開し易くすることができる。
【００６８】
一実施形態によれば、ファスニングテープ９０は、幅方向Ｗにおける後胴周り域３０の端部に一対設けられている。後胴周り域３０は、一対のファスニングテープ９０の間に、少なくとも幅方向に伸縮可能な腰周り伸縮部８５をさらに有する。折り畳まれたファスニングテープ９０を展開するために必要な幅方向Ｗの力は、後胴周り域３０の皺が無くなるまで後胴周り域３０を伸長させたときの後胴周り域３０の収縮力よりも小さい。これにより、例えば乳幼児を吸収性物品の上に置いた状態で、一対のファスニングテープ９０を幅方向Ｗに引っ張ると、後胴周り域３０の皺が無くなるまで後胴周り域３０が伸長する前に、腰周り伸縮部８５の収縮力によって一対のファスニングテープ９０が展開される。これにより、腰周り伸縮部８５の収縮力を利用してファスニングテープ９０を展開できるようになるという利点が得られる。
【００６９】
一実施形態によれば、折り畳まれた状態のファスニングテープ９０の、少なくとも係合シートが存在する領域を収容する収容部７２を有する。これにより、視覚的にも触覚的にもユーザが最も違和感を覚える係合シートが、収容部７２内に収容される。したがって、ユーザの不快感をより軽減することができる。また、視覚的及び触覚的に異物と認識され易いファスニングテープが、自由端部９３を除いて収容部７２内に収容されるので、ユーザの不快感をより軽減することができる。
【００７０】
一実施形態によれば、吸収性物品は、長手方向Ｌと、長手方向Ｌと直交する幅方向Ｗと、前胴周り域と、股下域と、後胴周り域と、少なくとも股下域に設けられた吸収コア４０ａと、を有する。ファスニングテープ９０は、前胴周り域及び後胴周り域のいずれか一方の、吸収性物品の幅方向の端部に一対設けられている。ファスニングテープ９０は、前胴周り域及び後胴周り域のいずれか一方に接合された接合部９４ａを有する。吸収性物品は、一対のファスニングテープ９０間に、少なくとも幅方向に伸縮可能な伸縮部８５を有する。伸縮部８５は、幅方向における吸収コア４０ａの側縁を長手方向Ｌに延長した仮想線４０ｅと接合部９４ａとの間に存在する。上述したように、吸収性物品を装着する際に、補助者は、ファスニングテープを幅方向外側に引っ張って展開する。本実施形態によれば、ファスニングテープ９０の展開と同時に伸縮部８５が伸縮されるため、伸縮部が幅方向により伸びた状態で、吸収性物品を着用者に装着させることができる。したがって、吸収性物品のフィット性を高めることができる。さらに、伸縮部８５が収縮しようとする力によりファスニングテープ９０をより展開し易くすることもできる。
【００７１】
また、幅方向における吸収コア４０ａの側縁を長手方向Ｌに延長した仮想線４０ｅよりも外側の領域は、着用者のお尻や背中に敷かれる部分よりも外側に位置するため、着用者の重みによって着用動作中に伸縮部８５の伸縮が妨げられ難い。したがって、伸縮部８５によって吸収性物品のフィット性とファスニングテープの展開性を高めることができる。
【００７２】
一実施形態によれば、前胴周り域及び後胴周り域のうち、ファスニングテープ９０が接合されている方の胴周り域は、接合部９４ａと係合シート９２との間の領域において、非伸縮性を有する。仮に、接合部９４ａと係合シート９２との間の領域が伸縮性を有する場合、ファスニングテープの展開動作中に、接合部９４ａと係合シート９２との間の領域が伸びる。これにより、伸縮部８５を伸ばす力が緩和され、伸縮部８５を十分に伸ばすことができなくなることがある。本実施形態では、接合部９４ａと係合シート９２との間の領域が非伸縮性を有するため、ファスニングテープの展開動作中に伸縮部８５が十分に伸ばされる。これにより、前述したように、吸収性物品のフィット性を向上させることができる。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００７４】
１０    吸収性物品
２０    前胴周り域
２５    股下域
３０    後胴周り域
４０    吸収体
５０    トップシート
６０    外装シート
６０ａ  バックシート
７０    サイドフラップ
７２    収容部
９０    ファスニングテープ
９００  ターゲット部
９１    基材
９２    係合シート
９２ａ  第１領域
９２ｂ  第２領域
９３    自由端部
９４    固定端部
９５    第１折り目
９６    第２折り目
９９    係合フック
１００  第１接着剤領域
１０２  第２接着剤領域
【図１】
2018064983.tif 000003
【図２】
2018064983.tif 000004
【図３】
2018064983.tif 000005
【図４】
2018064983.tif 000006
【図５】
2018064983.tif 000007
【図６】
2018064983.tif 000008
【図７】
2018064983.tif 000009
【図８】
2018064983.tif 000010
【図９】
2018064983.tif 000011
【図１０】
2018064983.tif 000012
【図１１】
2018064983.tif 000013
【図１２】
2018064983.tif 000014
【図１３】
2018064983.tif 000015
【図１４】
2018064983.tif 000016